(57)【特許請求の範囲】
【請求項１】
目幅の異なる篩網を張設した複数の篩枠を積み重ね、これを機枠内に設けた篩分け室に収容して固定し、前記機枠を上方から吊り下げて揺動運動させて粉粒体の篩分けを行うプランシフターの篩枠交換装置であって、
前記複数の篩枠を前記機枠外にてあらかじめ積み重ねて前記篩枠を一体的に保持する篩枠保持手段と、
積み重ねて保持した一体的な篩枠を前記篩分け室へ収容又は篩分け室から機外に取り出すための篩枠運搬手段と、
前記一体的な篩枠を前記篩分け室に収容又は機外に取り出す際に、該一体的な篩枠を前記篩分け室内で昇降させる篩枠昇降手段と、
前記篩分け室に収容された前記一体的な篩枠を上方から下方へ垂直に押さえつける篩枠固定手段と、を備え、さらに、
前記篩枠運搬手段が、前記一体的な篩枠を前記機枠と接する位置と前記機枠と異なる所定位置との間で移動させる第１の移動台車と、該第１の移動台車が前記機枠と接した位置にあるときに、前記一体的な篩枠を前記第１の移動台車上と前記篩分け室内との間で移動させる第２の移動台車と、から構成されることを特徴とするプランシフターの篩枠交換装置。
【請求項２】
前記第２の移動台車は、前記一体的な篩枠が載置される低い床状の台車部と、該台車部の底面に設けられた車輪とで構成され、前記篩枠昇降手段が、前記台車部とは別に前記一体的な篩枠を昇降させるエアーシリンダで構成される請求項１記載のプランシフターの篩枠交換装置。
【請求項３】
前記第２の移動台車は、前記一体的な篩枠が載置される底箱と、該底箱内部に設けられ、該底箱から出入り可能な車輪とで構成され、前記篩枠昇降手段が、前記底箱から出入り可能な車輪により構成される請求項1記載のプランシフターの篩枠交換装置。
【請求項４】
前記第１の移動台車は、水平調節脚及び移動キャスターを備えた脚部と、該脚部によって支持されたベース部と、支点を中心に適宜ジャッキアップすることが可能なジャッキ部と、該ジャッキ部により適宜な高さまで昇降されるリフト台と、さらに、該リフト台上の水平調整部を介して設けられた載置台とを備えてなる請求項１から３のいずれかに記載のプランシフターの篩枠交換装置。
【請求項５】
前記一体的な篩枠を前記篩分け室へ収容又は篩分け室から取り出す際に、前記第１の移動台車と前記篩分け室とを固定する第１のロック手段と、前記第１の移動台車と前記第２の移動台車とを固定する第２のロック手段とを設けてなる請求項１から４のいずれかに記載のプランシフターの篩枠交換装置。
【発明の詳細な説明】
【０００１】
【発明の属する技術分野】
本発明は、篩網を緊張させて張設した複数の篩枠を、篩網の目幅の大きい順に同一機枠内に積層して、前記機枠を鉛直な回転揺動軸によって水平面に対し回転揺動させ、粉粒体を粒径ごとに篩い分けるプランシフターにおいて、メンテナンス（篩枠の交換）時に、篩枠をシフター機枠から容易に取り出すことができる、篩枠交換装置に関する。
【０００２】
【従来の技術】
篩網を緊張させて張設した複数の篩枠を、篩網の目幅の大きい順に同一機枠内に積層して、前記機枠を鉛直な回転揺動軸によって水平面に対し回転揺動させ、粉粒体を粒径ごとに篩い分けるシフターは、例えば、図８に開示したものがある。
【０００３】
図８は、シフターの外観を示すもので、複数の篩枠１０１をシフター機枠１０２上に積層してあり、積層した篩枠１０１と一体的にボルト１０３とナット１０４で固定したものである。篩枠１０１の篩網が、上段から下段にわたり徐々に網目の細かい篩網となるように積層してあり、最上段から原料の粒状物を投入し下段になるほど細かい粒子が取り出せるようにしてある。シフター機枠１０２はその中心位置に回転揺動する垂直な回転軸１０５を備え、回転軸１０５の回転によってシフター機枠１０２は水平方向に回転揺動される。シフター機枠が回転揺動すると、機枠内の篩枠１０１も回転揺動し、最上段の投入口１０６から投入される粒状物は、篩網の回転揺動と篩網目幅によって篩い分けられ、下方の排出口１０７から排出される。シフター機枠はその四隅をグラスファイバーロッド１０８などによって揺動可能に支えられている。
【０００４】
従来のシフターは上記のように構成されているから、篩枠１０１の交換の際は、まず、シフター機枠１０２上に一体的に積層した篩枠１０１のボルト１０３とナット１０４を弛（ゆる）め、篩枠１０１を１枚ずつシフター機枠１０２の外に取り出して、篩網の破れ、張り具合、粉粒体の漏れなどを点検し、不具合があれば新しい篩枠１０１に交換する。そして、新しい篩枠１０１は、上記作業と反対に篩枠１０１を一枚ずつシフター機枠１０２内に積み重ね、所定の枚数になるとボルト１０３とナット１０４で一体的に組み付けるのである。
【０００５】
以上のような篩枠１０１の交換作業は、篩枠の数が多くなればなる程、交換作業が重労働となる。例えば、１室あたり２０〜３０段の篩枠１０１を積層し、６室の篩分け室を有するシフターの場合、篩枠１０１の交換に要する作業時間は１室あたり約８０分かかり、６室のシフターであれば８時間要することになり、交換作業に大変長時間を要していた。
【０００６】
また、２０〜３０段に積み重ねた篩枠は、その高さは２〜３ｍであり、脚立に上っての不安定な交換作業となり、積み重ねた篩枠の崩壊の危険があった。さらに、２０〜３０段に積み重ねた篩枠の全体重量は200Kg程度の重量物となり、交換作業自体に危険な作業を伴っていた。
【０００７】
【発明が解決しようとする課題】
本発明は上記問題点にかんがみ、篩枠交換作業における労力の負担、危険の負担を軽減し、篩枠の交換作業を容易に行うことのできるプランシフターの篩枠交換装置を提供することを技術的課題とする。
【０００８】
【問題を解決するための手段】
上記課題を解決するため本発明は、目幅の異なる篩網を張設した複数の篩枠を積み重ね、これを機枠内に設けた篩分け室に収容して固定し、前記機枠を上方から吊り下げて揺動運動させて粉粒体の篩分けを行うプランシフターの篩枠交換装置であって、前記複数の篩枠を前記機枠外にてあらかじめ積み重ねて前記篩枠を一体的に保持する篩枠保持手段と、積み重ねて保持した一体的な篩枠を前記篩分け室へ収容又は篩分け室から機外に取り出すための篩枠運搬手段と、前記一体的な篩枠を前記篩分け室に収容又は機外に取り出す際に、該一体的な篩枠を前記篩分け室内で昇降させる篩枠昇降手段と、前記篩分け室に収容された前記一体的な篩枠を上方から下方へ垂直に押さえつける篩枠固定手段と、を備え、さらに、前記篩枠運搬手段が、前記一体的な篩枠を前記機枠と接する位置と前記機枠と異なる所定位置との間で移動させる第１の移動台車と、該第１の移動台車が前記機枠と接した位置にあるときに、前記一体的な篩枠を前記第１の移動台車上と前記篩分け室内との間で移動させる第２の移動台車と、から構成する、という技術的手段を講じた。
【０００９】
これにより、機枠内に設けた複数の篩分け室から篩枠を取り出す際に、いちいち篩枠を１枚ずつ篩分け室から機外に取り出して、篩網の破れ、張り具合、粉粒体の漏れなどを点検し、篩枠を交換する必要がなく、篩分け室に篩枠を収容する際には、機外にて予め積み重ねた一体的篩枠の状態で篩分け室に収容することができるので、篩枠の数が多くても交換作業が楽に行える。また、多数の篩枠を積み重ねたまま一体的に機外に取り出すことができる。そして、収容された一体的篩枠を篩分け室内に固定して篩分け作業を行い、前記篩分け室から篩枠を取り出す際には、篩枠の固定を解除して積み重ねた一体的篩枠の状態で機外に取り出すことができる。例えば、１室あたり２０〜３０段の篩枠を積層し、６室の篩分け室を有するシフターの場合、篩枠の交換に要する作業時間は１室あたり、従来約８０分かかっていたものが、半分の約４０分程度で済み、６室の篩分け室を有するシフターであれば従来の半分の約４時間で済むようになった。
【００１０】
また、篩枠保持手段によって、積み重ねた篩枠を一体的に保持することができ、篩枠運搬手段により機外に運び出すことが簡単に行うことができる。また、篩分け室内に篩枠を固定する際、従来は積み重ねた篩枠をボルトとナットとにより固定したのであるが、積み重ねた篩枠を篩枠固定手段により自動的に固定したり、自動的に固定を解除したりできるので、作業労力の負担が減少するようになった。
【００１１】
そして、前記篩枠運搬手段が、前記一体的篩枠を前記機枠と接する位置と前記機枠と異なる所定位置との間で移動させる第１の移動台車と、該第１の移動台車が前記機枠と接した位置にあるとき、前記一体的篩枠を前記第１の移動台車上と前記篩分け室内との間で移動させる第２の移動台車とを有しているから、前記篩分け室に前記篩枠を収容する際、前記機枠と異なる所定位置に前記第１の移動台車を移動させ、該第１の移動台車上に第２の移動台車を介して前記一体的篩枠を載置し、更に、前記第１の移動台車を前記機枠と接する位置に移動させ、前記第２の移動台車を前記第１の移動台車上から前記篩分け室内へ移動させた後、第２の移動台車を取り出して篩枠を収容し、前記篩分け室から前記篩枠を取り出す際、前記第１の移動台車を前記機枠と接する位置に移動させ、前記一体的篩枠の底部に前記第２の移動台車を挿入し、該第２の移動台車を前記篩分け室内から前記第１の移動台車上へ移動させて篩枠を取り出す構成としたので、例えば、２０〜３０段に積み重ねた篩枠が２００kg程度の重量物であっても、第１及び第２の移動台車を使用しているので、交換作業が安全であり、しかも、篩枠の交換作業が簡単で迅速に行うことができる。
【００１２】
さらに、第１の移動台車により複数の篩枠を機外にて予め積み重ねて待機しておくことが可能で、第２の移動台車により一体的篩枠を篩分け室に押し込むなどの簡単な操作で篩枠を交換することができる。また、篩枠固定装置により一体的篩枠を固定したり、固定を解除したりすることが容易にでき、さらに、前記篩分け室内において前記一体的篩枠から前記第２の移動台車を抜き出す際に、前記篩枠昇降装置を作動させると、一体的篩枠を上方に浮かせて前記第２の移動台車を簡単に引っ張り出すことができる。
【００１３】
請求項２記載の発明では、前記第２の移動台車が、前記一体的篩枠が載置される低い床状の台車部と、該台車部の底面に設けられた車輪とで構成され、前記篩枠昇降装置が、前記台車部とは別に前記一体的篩枠を昇降させるエアーシリンダで構成される。
【００１４】
請求項３記載の発明では、前記第２の移動台車が、前記一体的篩枠が載置される底箱と、該底箱内部に設けられ、該底箱から出入り可能な車輪とで構成され、前記篩枠昇降装置が、前記底箱から出入り可能な車輪により構成される。
【００１５】
請求項４記載の発明では、前記第１の移動台車が、水平調節脚及び移動キャスターを備えた脚部と、該脚部によって支持されたベース部と、支点を中心に適宜ジャッキアップすることが可能なジャッキ部と、該ジャッキ部により適宜な高さまで昇降されるリフト台と、更に、該リフト台上の水平調整部を介して設けられた載置台とで構成されるので、移動キャスターにより第１の移動台車を移動することが可能で、また、作業中は該移動台車を安定させるよう、水平調節脚を固定することが可能である。また、ジャッキ部により載置台をシフターの篩分け室の底部とほぼ同高さになるように調節できる。
【００１６】
さらに、請求項５記載の発明では、前記一体的篩枠を前記篩分け室へ収容又は篩分け室から取り出す際に、前記第１の移動台車と前記篩分け室とを固定する第１のロック手段と、前記第１の移動台車と前記第２の移動手段とを固定する第２のロック手段とを設けたので、一体的篩枠の交換時には、第１及び第２の移動台車の移動が阻止されるから、例えば、２０〜３０段に積み重ねた一体的篩枠が２００kg程度の重量物であっても安全な作業ができる。
【００１７】
【発明の実施の形態】
図１は本発明のプランシフター１の全体を示す斜視図であり、図２はプランシフターの駆動部を示す概略図である。プランシフター１は篩枠２…を多数積み重ね、これを機枠４内に収容し、該機枠４を建家の天井梁からロッド５…によって吊り下げ、アンバランスウェイト７を軸着した軸６を回転させることにより、水平面で揺動運動させて篩分けを行うものである。前記軸６は機枠４内のほぼ中央に立設してあり、該軸６の機枠４内の部分にアンバランスウェイト７を軸着し（図２参照）、機枠４下部に固定したモータ８によって軸６を回転揺動させる構成になっている。符号１５はモータ８のモータ軸に軸着したモータプーリであり、符号１６は軸６下部に軸着した駆動プーリであり、符号１７はモータプーリ１５と駆動プーリ１６とを連絡するベルトである。
【００１８】
図１に示すプランシフター１は、機枠４内に８つの篩分け室９…が形成され、手前側の篩分け室９Ａ，９Ｂについてはドア１０が外され、作業者１１によって篩枠の交換が行われている状態が示されている。符号１２は粉粒体を各篩分け室９…に供給するため、機枠４上部に接続したインレットスリーブであり、篩分け室１室につき、３個のインレットスリーブ１２が接続されている。また、符号１３は篩網によって粒度別に複数種類に分級したものを排出するため、機枠４下部に接続したアウトレットスリーブである。さらに、符号１４はアウトレットスリーブ１３を集約するアウトレットボックスである。
【００１９】
プランシフター１は、前記各篩分け室９…に複数の篩枠２…を収容して運転が開始され、メンテナンス時には、前記各篩分け室９…から複数の篩枠２…を取り出し、篩枠２…の交換などメンテナンスを行うのであるが、篩枠保持手段３及び篩枠運搬手段１８を利用すると、篩枠２…の交換作業における労力の負担、危険の負担を軽減し、篩枠の交換作業を容易に行うことができる。
【００２０】
図３はプランシフター１の篩枠保持手段３と篩枠運搬手段１８とを示す概略縦断面図である。篩枠保持手段３は、複数の篩枠２…の四隅などを支持し、複数の篩枠２…を縦方向に積層する補強枠１９…から構成される。前記補強枠１９…は、例えば、軽量アルミ材などの材料で形成され、その下部を外側から縦方向に積み上げた篩枠２…の内方向へ木ネジ２２…などにより取り外し可能に固定し、補強枠１９の上方は最上部の篩枠２…に引っかけるカギ部２３が形成され、全体がずれないように支持する。そして、篩分け室９…には、該補強枠１９…とともに篩枠２…を載置する底部２０と、各篩枠２…を上方から押さえつけ、各篩枠２…を密閉して粉粒体の漏出を防止するための篩枠固定装置２１と、前記篩分け室９底部２０に設けて、縦方向に積み上げた多数の篩枠２…を持ち上げる篩枠昇降装置３０が備えられており、補強枠１９とともに篩枠２…が篩分け室９…に収容されると、前記篩枠固定装置２１により篩枠２…が押さえつけられることになる。
【００２１】
また、篩枠運搬手段１８は、積層された前記複数の篩枠２…を補強枠１９ごと載置し、篩分け室９…へ収容又は篩分け室９…から移動させる転がり台車２４と、更に、積層された前記複数の篩枠２…を転がり台車２４ごと載置し、積層された篩枠２…をプランシフター１から離れた作業のしやすい広い場所に移動可能とする移動台車２５とにより構成される。
【００２２】
図４は前記転がり台車２４と移動台車２５を示す概略拡大図であり、転がり台車２４は、篩枠２…が載置される低い床状の台車部２６と、該台車部２６の底面に設けられて方向性をもたず任意方向に回転可能な複数個のコロ２７…と、前記台車部２６の前・後部に設けられ、フォークリフトの爪を挿入することが可能な一対のフォーク孔２８，２８と、前記台車部２６の後部２６Ａに設けられ、転がり台車２４を前記移動台車２５又は篩分け室９…の底部２０に固定するためのロックピン２９とから主要部が構成される。また、篩分け室９…の底部には、収容された篩枠２…の全体を上昇させる篩枠昇降装置となるエアーシリンダ３０が設けられ、このエアーシリンダ３０のロッド３１が伸長したとき台車部２６との干渉を回避するため、転がり台車２４は、中央（図４にあらわれない奥行き方向）で二股に分かれている。これにより、ロッド３１が伸長したとき、転がり台車２４を篩分け室９…から取り出すことができる。
【００２３】
篩分け室９…の底部２０中央に設けたエアーシリンダ３０は、そのロッド３１が符号３１Ａ
へと移動して篩枠２…を持ち上げる作用をする。また、底部２０の前端２０Ａは、前記転がり台車２４のロックピン２９が嵌合するピン孔３２が穿設してあり、該ピン孔３２の下方には、移動台車２５が篩分け室９…から離れないよう、底部２０の前端２０Ａと移動台車２５の先端２５Ａとを接続するヒッチ３３が設けられている。符号１３は前述と同様のアウトレットスリーブであり、符号４は、前記軸６及びアンバランスウェイト７など駆動部を収容した機枠である。
【００２４】
次に、移動台車２５について説明する。移動台車２５は、市販のリフターを改造したもので、水平調節脚３４及び移動キャスター３５を備えた脚部３６…と、該脚部３６…によって支持されたベース部３７と、支点３８を中心にネジや油圧などで適宜ジャッキアップすることが可能なジャッキ部３９，３９と、該ジャッキ部３９，３９により適宜な高さまで昇降されるリフト台４０と、更に、該リフト台４０上に設けた水平調整部４１，４１を介して設けられた載置台４２とにより主要部が構成される。符号４３は移動台車２５が前記篩分け室９…から離れないように設けたヒッチ３３に嵌合するヒッチ孔であり、符号４４は転がり台車２４を載置したときに前記ロックピン２９が嵌合するピン孔であり、符号４５は移動台車２５のハンドルである。
【００２５】
図５は篩分け室９に設けられた篩枠固定装置２１の詳細を示す縦断面図である。篩枠固定装置２１は、機枠４の上部に設けられ、機枠４上部に固定したベース部４６，４６，４７と、該ベース部４６，４６と連設する少なくとも２個のガイド４８，４８と、各ガイド４８，４８により上方から下方へ垂直に挿通されるガイドシャフト４９，４９と、ベース部４７の中心部に固定されるエアーシリンダ５０などの押さえつけ手段と、前記ガイドシャフト４９，４９の下端４９Ａ，４９Ａとエアーシリンダ５０のアクチュエータ５１下端５１Ａにボルトなどで取り付けられ、篩分け室９に収容された篩枠２…を上方から下方に押圧する篩枠押さえ部５２と、により構成される。該篩枠押さえ部５２は、２つのガイドシャフト４９，４９と１つのエアーシリンダ５０とにより篩枠２…を上方から下方へ垂直に押さえつけることが可能となる。
【００２６】
次に、上記構成における作用を説明する。
【００２７】
まず、プランシフター１の各篩分け室９…に複数の篩枠２…を収容する際の作用を説明する。図３には、前段取りとして予め必要な篩枠２…を複数個積層した様子を示してある。この作業としては、作業し易い広い場所に移動台車２５を移動し、該移動台車２５を安定させるよう、水平調節脚３４，３４を固定して、ベース部３７を水平に保持する。次に、載置台４２を篩分け室９の底部２０とほぼ同高さになるようにジャッキ部３９を調節する。そして、載置台４２に転がり台車２４を載せ、該転がり台車２４をロックさせるためロックピン２９をピン孔４４に嵌合させ、転がり台車２４の上に順次、複数の篩枠２…を積み上げていく。篩枠２…は、例えば、上段から下段にわたり徐々に網目の細かい篩網となるように積層していき、最上段から粒状物を投入し下段になるほど細かい粒子が取り出せるように積み上げるとよい。そして、この篩枠２…は、所定段数、例えば、３０段積み上げられ、最後に補強枠１９のカギ部２３を最上段の篩枠２に引っかけ、全体を木ネジ２２により固定する。そして、移動台車２５の脚部３６からから移動キャスター３５を出して、積層した篩枠２…を移動台車２５ごと移動可能な状態にする。
【００２８】
次に、移動台車２５をプランシフター１の所定の篩分け室９の前まで移動し、積層された篩枠２…を一度に交換するのである。篩分け室９に篩枠２…が収容されていないときは（図１、図３参照）、交換前の篩枠２…を取り出す必要がなく、作業者１１によって篩分け室９…のドア１０を外し、篩分け室９…にそのまま収容するとよい。
【００２９】
さらに、図４及び図６を参照して説明する。移動台車２５を篩分け室９の前まで移動させると、移動台車２５の脚部３６を移動キャスター３５，３５から水平調節脚３４，３４に代えて固定するとともに、移動台車２５が篩分け室９…から離れないよう、ヒッチ３３により底部２０の前端２０Ａと移動台車２５の先端２５Ａとを接続する。そして、移動台車２５のジャッキ部３９，３９を微調整し、移動台車２５の載置台４２の高さを、篩分け室９…の底部２０と同じ高さとなるよう調節する。そして、移動台車２５のピン孔４４からロックピン２９を外し、篩枠２…を転がり台車２４ごと篩分け室９に押し込む。
【００３０】
図４では、篩分け室９の底部２０に転がり台車２５が載っている状態であるから、転がり台車２４を篩分け室９から引っ張り出す必要がある。図６は転がり台車２４を篩分け室９から引き出す様子を示す概略縦断面図である。篩枠２…が篩分け室９に収容されると、まず、エアーシリンダ３０が駆動されて、ロッドが伸長する。そして、篩枠２…全体が図６上の矢印Ａ方向に浮き上がり、篩枠２…最下部と転がり台車２４との間に若干の隙間Ｄが生じ、この隙間Ｄにより、転がり台車２４は篩枠２…の荷重を受けていないので、転がり台車２４を矢印Ｂ方向に引っ張り出すことができる。そして、転がり台車２４を篩分け室９から完全に引き出すと、エアーシリンダ３０のロッド３１を元の位置まで下げて篩枠２…を底部２０に載置し、前記篩枠固定装置２１により篩枠２…の全体を固定する。
【００３１】
篩枠固定装置２１は、エアーシリンダ５０が作動されると、篩枠押さえ部５２が、２つのガイドシャフト４９，４９と１つのエアーシリンダ５０のアクチュエータ５１とにより篩枠２…を上方から下方へ垂直に押さえつけることが可能となる。以上のように、篩枠２…の交換作業における労力は、転がり台車２４及び移動台車２５を使用することによって負担が大幅減少する。また、篩枠２…の交換作業は、移動台車２５に設けた水平調節脚３４，３４により移動キャスター３５による不安定さを軽減したり、ロックピン２９より移動台車２５と転がり台車２４とを確実に固定し、また、ヒッチ３３により移動台車２５と篩分け室９とを確実に固定し、交換作業の危険の負担を軽減し、篩枠の交換作業を容易に行うことができる。
【００３２】
さらに、従来のプランシフターと本発明のプランシフターとの篩枠の交換作業時間を比較すると以下の表のようになる。
【表１】
0004374603.tif 000002
【００３３】
従来のプランシフターのように、篩枠２…を１枚ずつ機枠４の外に取り出して、篩網の破れ、張り具合、粉粒体の漏れなどを点検し、不具合があれば新しい篩枠２…に交換するものに比べ、予め篩枠２…を複数個積層した新しい篩枠２…を交換するだけでよいので、作業が簡単であり、作業時間も上記表のように大幅に削減される。
【００３４】
図７は本発明の別の実施形態を示す転がり台車２４と移動台車２５を示す概略拡大図であり、この構成では、前述のように篩分け室９の底部２０に載置した転がり台車２４を篩分け室９から引っ張り出す必要がなく、上述の構成よりも更に作業時間を短縮できるものである。
【００３５】
図７に示す転がり台車２４は、篩枠２…が載置されるボトムボックス５３と、該ボトムボックス５３内部に横架したネジ軸５４と、該ネジ軸５４に螺合する複数のナット筒５５，５５と、一端を該ナット筒５５，５５と接続し、他端を移動キャスター５６，５６と接続して支点５７，５７を中心としてボトムボックス５３から移動キャスター５６，５６を出入りさせるジャッキ部５８，５８と、前記ボトムボックス５３上に載置される篩枠台５９とにより構成される。符号６０はネジ軸を左又は右に回転させるハンドルであり、該ハンドル６０を回転することで移動キャスター５６，５６がボトムボックス５３から出入り自在になる。
【００３６】
上記構成による作用を説明する。前段取りとしては上記同様に、作業し易い広い場所に移動台車２５を移動し、移動台車２５上に転がり台車２４を載せ、該転がり台車２４の上に順次、複数の篩枠２…を積み上げていく。篩枠２…は、例えば、上段から下段にわたり徐々に網目の細かい篩網となるように積層していき、最上段から粒状物を投入し下段になるほど細かい粒子が取り出せるように積み上げるとよい。そして、この篩枠２…は、所定段数、例えば、３０段積み上げられ固定する。このとき、転がり台車２４が移動しないよう、ハンドル６０を回転させて移動キャスター５６，５６がボトムボックス５３へ隠れるようにする。
【００３７】
次に、移動台車２５をプランシフター１の所定の篩分け室９の前まで移動し、積層された篩枠２…を一度に交換するのである。このとき、転がり台車２４を移動させるよう、ハンドル６０を回転させて移動キャスター５６，５６がボトムボックス５３から出没させるようにする。そして、移動台車２５が篩分け室９…から離れないよう、ヒッチ３３により底部２０の前端２０Ａと移動台車２５の先端２５Ａとを接続し、篩枠２…を転がり台車２４ごと篩分け室９に押し込む。その後、転がり台車２４が移動しないよう、ハンドル６０を回転させて移動キャスター５６，５６がボトムボックス５３へ隠れるようにする。なお、移動キャスター５６，５６を設けたボトムボックス５３は前述の低い床状の台車部２６とは異なり、密閉状となっているので、前記篩枠固定装置２１により篩枠２…とともに固定しても粉粒体が漏出することがない。つまり、前述の台車部２６のように篩分け室９からボトムボックス５３を引っ張り出す必要がなく、さらに、篩枠２…の全体を上昇させるエアーシリンダ３０を篩分け室９の底部２０に設ける必要もなくなる。篩枠２…を篩分け室９から移動させるときは、ハンドル６０を回転させて移動キャスター５６，５６がボトムボックス５３から出没させるようにして、引っ張り出せばよい。
【００３８】
【発明の効果】
以上のように本発明によれば、いちいち篩枠を１枚ずつ篩分け室から機外に取り出して、篩網の破れ、張り具合、粉粒体の漏れなどを点検し、篩枠を交換する必要がなく、多数の篩枠を積み上げたまま一体的に機外に取り出すことができ、また、篩分け室に新たな篩枠を収容する際には、機外にて予め積み上げた篩枠を一体的に収容することができるので、篩枠の数が多くても交換作業が楽に行える。例えば、１室あたり２０〜３０段の篩枠を積層し、６室の篩分け室を有するシフターの場合、篩枠の交換に要する作業時間は１室あたり、従来約８０分かかっていたものが、半分の約４０分程度で済み、６室の篩分け室を有するシフターであれば従来の半分の約４時間で済むようになった。
【００３９】
また、篩枠保持手段により積み重ねた篩枠を一体的に保持することができ、篩枠運搬手段により機外に運び出すことが簡単に行うことができる。また、篩分け室内に篩枠を固定する際、従来は積み重ねた篩枠をボルトとナットとにより固定したのであるが、積み重ねた篩枠を篩枠固定手段により自動的に固定したり、自動的に固定を解除したりできるので、作業労力の負担が減少するようになった。
【００４０】
前記篩枠運搬手段は、前記一体的篩枠を前記機枠と接する位置と前記機枠と異なる所定位置との間で移動させる第１の移動台車と、該第１の移動台車が前記機枠と接した位置にあるとき、前記一体的篩枠を前記第１の移動台車上と前記篩分け室内との間で移動させる第２の移動台車とを有し、前記篩分け室に前記篩枠を収容する際、前記機枠と異なる所定位置に前記第１の移動台車を移動させ、該第１の移動台車上に第２の移動台車を介して前記一体的篩枠を載置し、更に、前記第１の移動台車を前記機枠と接する位置に移動させ、前記第２の移動台車を前記第１の移動台車上から前記篩分け室内へ移動させた後、第２の移動台車を取り出して篩枠を収容し、前記篩分け室から前記篩枠を取り出す際、前記第１の移動台車を前記機枠と接する位置に移動させ、前記一体的篩枠の底部に前記第２の移動台車を挿入し、該第２の移動台車を前記篩分け室内から前記第１の移動台車上へ移動させて篩枠を取り出す構成としたので、例えば、２０〜３０段に積み重ねた篩枠が２００kg程度の重量物であっても、第１及び第２の移動台車を使用しているので、交換作業が安全であり、しかも、篩枠の交換作業が簡単で迅速に行うことができる。
【００４１】
そして、第１の移動台車により複数の篩枠を機外にて予め積み重ねて待機しておくことが可能で、第２の移動台車により一体的篩枠を篩分け室に押し込むなどの簡単な操作で篩枠を交換することができる。また、篩枠固定装置により一体的篩枠を固定したり、固定を解除したりすることが容易にでき、さらに、前記篩分け室内において前記一体的篩枠から前記第２の移動台車を抜き出す際に、前記篩枠昇降装置を作動させると、一体的篩枠を上方に浮かせて前記第２の移動台車を簡単に引っ張り出すことができる。
【００４２】
また、前記第１の移動台車は、水平調節脚及び移動キャスターを備えた脚部と、該脚部によって支持されたベース部と、支点を中心に適宜ジャッキアップすることが可能なジャッキ部と、該ジャッキ部により適宜な高さまで昇降されるリフト台と、更に、該リフト台上の水平調整部を介して設けられた載置台とで構成されるので、移動キャスターにより第１の移動台車を移動することが可能で、また、作業中は該移動台車を安定させるよう、水平調節脚を固定することが可能である。また、ジャッキ部により載置台をシフターの篩分け室の底部とほぼ同高さになるように調節できる。
【図面の簡単な説明】
【図１】本発明のプランシフターの全体を示す斜視図である。
【図２】プランシフターの駆動部を示す概略図である。
【図３】プランシフターの篩枠保持手段と篩枠運搬手段とを示す概略縦断面図である。
【図４】転がり台車と移動台車を示す概略拡大図である。
【図５】篩分け室に設けられた篩枠固定装置の詳細を示す縦断面図である。
【図６】転がり台車と移動台車の作用を示す概略拡大図である。
【図７】本発明の別の実施形態を示す転がり台車と移動台車を示す概略拡大図である。
【図８】従来のシフターを示す外観図である。
【符号の説明】
１ プランシフター
２ 篩枠
３ 篩枠保持手段
４ 機枠
５ ロッド
６ 軸
７ アンバランスウェイト
８ モータ
９ 篩分け室
１０ ドア
１１ 作業者
１２ インレットスリーブ
１３ アウトレットスリーブ
１４ アウトレットボックス
１５ モータプーリ
１６ 駆動プーリ
１７ ベルト
１８ 篩枠運搬手段
１９ 補強枠
２０ 底部
２１ 篩枠固定装置
２２ 木ネジ
２３ カギ部
２４ 転がり台車
２５ 移動台車
２６ 台車部
２７ コロ
２８ フォーク孔
２９ ロックピン
３０ エアーシリンダ
３１ ロッド
３２ ピン孔
３３ ヒッチ
３４ 水平調節脚
３５ 移動キャスター
３６ 脚部
３７ ベース部
３８ 支点
３９ ジャッキ部
４０ リフト台
４１ 水平調整部
４２ 載置台
４３ ヒッチ孔
４４ ピン孔
４５ ハンドル
４６ ベース部
４７ ベース部
４８ ガイド
４９ ガイドシャフト
５０ エアーシリンダ
５１ アクチュエータ
５２ 篩枠押さえ部
５３ ボトムボックス
５４ ネジ軸
５５ ナット筒
５６ 移動キャスター
５７ 支点
５８ ジャッキ部
５９ 篩枠台
６０ ハンドル
【図１】
0004374603.tif 000003
【図２】
0004374603.tif 000004
【図３】
0004374603.tif 000005
【図４】
0004374603.tif 000006
【図５】
0004374603.tif 000007
【図６】
0004374603.tif 000008
【図７】
0004374603.tif 000009
【図８】
0004374603.tif 000010